(57)【要約】【課題】冷凍装置の熱源ユニットの据付時間の短縮と同時に、熱源ユニットの現地施工時に漏れる冷媒が端子台に掛かったり、冷媒配管と閉鎖弁で生じた結露水が端子台に掛かったりするのを抑制する。【解決手段】冷凍装置の熱源ユニットである室外機３は、現地施工される冷媒配管５ａ，５ｂに接続される閉鎖弁１６と、ユニットケーシング２０と、電源供給のための電線が電気的に接続される端子台６０とを備えている。閉鎖弁１６は、ユニットケーシング２０の高さ寸法Ｈの４０％の高さ位置よりも高い位置に配置されている。端子台６０は、閉鎖弁１６よりも高い位置に配置されている。【選択図】図８
2016161203.tif 000002
【特許請求の範囲】
【請求項１】
現地施工される冷媒配管（５ａ，５ｂ）によって利用ユニット（４）に接続される冷凍装置（１）の熱源ユニット（３）であって、
前記冷媒配管に接続される閉鎖弁（１６）と、
前記閉鎖弁が固定されるユニットケーシング（２０）と、
前記ユニットケーシングに固定され、電源供給のための電線が電気的に接続される端子台（６０）と
を備え、
前記閉鎖弁は、前記ユニットケーシングの高さ寸法の４０％の高さ位置よりも高い位置に配置され、
前記端子台は、前記閉鎖弁よりも高い位置に配置されている、冷凍装置の熱源ユニット。
【請求項２】
前記閉鎖弁は、前記ユニットケーシングの高さ寸法の５０％以上９０％以下の高さ位置に配置されている、
請求項１に記載の冷凍装置の熱源ユニット。
【請求項３】
前記端子台は、前記閉鎖弁よりも高い位置であってかつ、前記ユニットケーシングの高さ寸法の７０％以上１００％未満の高さ位置に配置されている、
請求項１又は請求項２に記載の冷凍装置の熱源ユニット。
【請求項４】
前記ユニットケーシングは、前記閉鎖弁が配置されている閉鎖弁配置空間の一部を覆うように前記ユニットケーシングに着脱可能な閉鎖弁カバー（３０）を有し、前記閉鎖弁カバーを装着した状態で前記閉鎖弁配置空間と前記ユニットケーシングの外側の外部空間とをつなぐ開口が形成される、
請求項１から３のいずれか一項に記載の冷凍装置の熱源ユニット。
【請求項５】
前記ユニットケーシングは、前記端子台が配置されている端子台配置空間の一部を前記閉鎖弁カバーが覆うように構成され、前記閉鎖弁カバーを装着した状態で前記端子台配置空間が前記閉鎖弁配置空間及び前記外部空間から実質的に隔離される、
請求項４に記載の冷凍装置の熱源ユニット。
【請求項６】
前記ユニットケーシングは、前記閉鎖弁が配置されている閉鎖弁配置空間の一部を覆うように前記ユニットケーシングに着脱可能な閉鎖弁カバーと、前記閉鎖弁カバーを装着した状態で前記閉鎖弁配置空間及び前記ユニットケーシングの外側の外部空間から実質的に隔離されている他の空間を形成する前記ユニットケーシングに着脱可能な仕切板（４０）とを有し、前記閉鎖弁カバーと前記仕切板とが別体である、
請求項１から３のいずれか一項に記載の冷凍装置の熱源ユニット。
【請求項７】
前記端子台は、前記他の空間に収納されるように前記ユニットケーシングに固定される、
請求項６に記載の冷凍装置の熱源ユニット。
【請求項８】
前記仕切板は、前記電線の通路となる切り欠き部（４４）を有する、
請求項６又は請求項７に記載の冷凍装置の熱源ユニット。
【発明の詳細な説明】
【技術分野】
【０００１】
本発明は、冷凍装置の熱源ユニット、特に室内空気の熱交換を行うための熱交換部を備える冷凍装置の熱源ユニットに関する。
【背景技術】
【０００２】
従来の冷凍装置には、熱源ユニットである室外機が利用ユニットである室内機に冷媒配管で接続されて冷凍回路を形成する空気調和機がある。このような空気調和機では、その設置現場において、室外機と室内機の据付工事及び冷媒配管の配管工事が行われた後に、真空引き作業及び冷媒充填作業が行われる。これらの作業を行い易くするために、室外機は、室外機と室内機を繋ぐ冷媒配管の開閉を行う閉鎖弁を備えている。
【０００３】
ところで、室外機が据え付けられる場所は、地上に限られず、例えば２階以上の階に設けられているバルコニーであることもある。建築物に対する規制が各国によって区々であるため、広いバルコニーだけではなく、非常に狭いバルコニーもある。例えば、非常に狭いバルコニーに室外機を据え付ける際には、室外機を据え付ける作業者がバルコニーの外に身を乗り出すようにして作業する事態も起こり得る。
【０００４】
このように、室外機の据え付け場所が区々であることもあって、閉鎖弁が室外機の下部に位置していると据付に時間が掛かるため、例えば特許文献１（特開平１０−２９２９３４号公報）に開示されている空気調和機のように、閉鎖弁を室外機の最上部に配置するように構成されているものがある。
【発明の概要】
【発明が解決しようとする課題】
【０００５】
しかし、特許文献１に記載されている空気調和機では、閉鎖弁を最上部に配置しているため、現地施工時に閉鎖弁と冷媒配管の接続部から漏れる冷媒や、空気調和機の運転中に冷媒配管と閉鎖弁で生じた結露水が、室外機の端子台に掛かる恐れが高くなる。
【０００６】
本発明の課題は、冷凍装置の熱源ユニットの据付時間の短縮と同時に、熱源ユニットの現地施工時に漏れる冷媒が端子台に掛かったり、冷媒配管と閉鎖弁で生じた結露水が端子台に掛かったりするのを抑制することである。
【課題を解決するための手段】
【０００７】
本発明の第１観点に係る冷凍装置の熱源ユニットは、現地施工される冷媒配管によって利用ユニットに接続される冷凍装置の熱源ユニットであって、冷媒配管に接続される閉鎖弁と、閉鎖弁が固定されるユニットケーシングと、ユニットケーシングに固定され、電源供給のための電線が電気的に接続される端子台とを備え、閉鎖弁は、ユニットケーシングの高さ寸法の４０％の高さ位置よりも高い位置に配置され、端子台は、閉鎖弁よりも高い位置に配置されている。
【０００８】
第１観点に係る冷凍装置の熱源ユニットにおいては、閉鎖弁がユニットケーシングの高さ寸法の４０％の高さ位置よりも高い位置に配置されているので、冷凍装置の熱源ユニットの据付時間が短縮できる。また、端子台が閉鎖弁よりも高い位置に配置されているので、冷媒や結露水が冷媒配管や閉鎖弁から端子台に掛かるのを抑制することができる。
【０００９】
本発明の第２観点に係る冷凍装置の熱源ユニットは、第１観点の冷凍装置の熱源ユニットにおいて、閉鎖弁は、ユニットケーシングの高さ寸法の５０％以上９０％以下の高さ位置に配置されている、ものである。
【００１０】
第２観点に係る冷凍装置の熱源ユニットにおいては、ユニットケーシングの高さの半分又はそれよりも上に閉鎖弁が配置されるので、ユニットケーシングの高さの半分よりも下にある場合よりも閉鎖弁に対する冷媒配管の装着と取外しが容易になる。
【００１１】
本発明の第３観点に係る冷凍装置の熱源ユニットは、第１観点又は第２観点の冷凍装置の熱源ユニットにおいて、端子台は、閉鎖弁よりも高い位置であってかつ、ユニットケーシングの高さ寸法の７０％以上１００％未満の高さ位置に配置されている、ものである。
【００１２】
第３観点に係る冷凍装置の熱源ユニットにおいて、端子台がユニットケーシングの高さ寸法の７０％以上１００％未満の高さ位置に配置されているので、端子台に電線を接続し易くなっている。
【００１３】
本発明の第４観点に係る冷凍装置の熱源ユニットは、第１観点から第３観点のいずれかの冷凍装置の熱源ユニットにおいて、ユニットケーシングは、閉鎖弁が配置されている閉鎖弁配置空間の一部を覆うようにユニットケーシングに着脱可能な閉鎖弁カバーを有し、閉鎖弁カバーを装着した状態で閉鎖弁配置空間とユニットケーシングの外側の外部空間とをつなぐ開口が形成される、ものである。
【００１４】
第４観点に係る冷凍装置の熱源ユニットにおいては、閉鎖弁カバーを装着した状態で閉鎖弁配置空間とユニットケーシングの外側の外部空間とをつなぐ開口が形成されるので、閉鎖弁カバーで閉鎖弁の保護を行うとともに、開口を通じて漏れた冷媒の外部への排出が可能になる。
【００１５】
本発明の第５観点に係る冷凍装置の熱源ユニットは、第４観点の冷凍装置の熱源ユニットにおいて、ユニットケーシングは、端子台が配置されている端子台配置空間の一部を閉鎖弁カバーが覆うように構成され、閉鎖弁カバーを装着した状態で端子台配置空間が閉鎖弁配置空間及び外部空間から実質的に隔離される、ものである。
【００１６】
第５観点に係る冷凍装置の熱源ユニットにおいては、閉鎖弁カバーを装着した状態で端子台配置空間が閉鎖弁配置空間及び外部空間から実質的に隔離されるので、冷媒配管や閉鎖弁から冷媒や結露水が端子台に掛かるのを防ぐことができる。
【００１７】
本発明の第６観点に係る冷凍装置の熱源ユニットは、第１観点から第３観点のいずれかの冷凍装置の熱源ユニットにおいて、ユニットケーシングは、閉鎖弁が配置されている閉鎖弁配置空間の一部を覆うようにユニットケーシングに着脱可能な閉鎖弁カバーと、閉鎖弁カバーを装着した状態で閉鎖弁配置空間及びユニットケーシングの外側の外部空間から実質的に隔離されている他の空間を形成するユニットケーシングに着脱可能な仕切板とを有し、閉鎖弁カバーと仕切板とが別体である、ものである。
【００１８】
第６観点に係る冷凍装置の熱源ユニットにおいては、閉鎖弁カバーを装着した状態で閉鎖弁配置空間及びユニットケーシングの外側の外部空間から実質的に隔離されている他の空間を形成するユニットケーシングに着脱可能な仕切板を有するので、仕切板と閉鎖弁カバーで囲われた他の空間を形成して、閉鎖弁配置空間に生じた冷媒漏れや水から他の空間に存在する器材を仕切板によって保護することができる。
【００１９】
本発明の第７観点に係る冷凍装置の熱源ユニットは、第６観点の冷凍装置の熱源ユニットにおいて、端子台は、他の空間に収納されるようにユニットケーシングに固定される、ものである。
【００２０】
第７観点に係る冷凍装置の熱源ユニットにおいては、端子台が他の空間に収納されるようにユニットケーシングに固定されるので、仕切板が冷媒や結露水の防壁になり、冷媒配管や閉鎖弁から冷媒や結露水が端子台に掛かるのを防ぐことができる。また、仕切板を取り外した状態で電線を端子台に容易に取り付けたり、容易に取り外したりすることができる。
【００２１】
本発明の第８観点に係る冷凍装置の熱源ユニットは、第６観点又は第７観点の冷凍装置の熱源ユニットにおいて、仕切板は、電線の通路となる切り欠き部を有する、ものである。
【００２２】
第８観点に係る冷凍装置の熱源ユニットにおいては、仕切板が電線の通路となる切り欠き部を有するので、仕切板を取り外した状態で端子台に電線を固定してから固定された電線を切り欠き部に通すことができるようになる。
【発明の効果】
【００２３】
本発明の第１観点に係る冷凍装置の熱源ユニットでは、据付時間の短縮が図れると同時に、冷媒配管と閉鎖弁で生じた漏れ冷媒及び結露水が端子台に掛かるのを抑制することができる。
【００２４】
本発明の第２観点に係る冷凍装置の熱源ユニットでは、冷媒配管の閉鎖弁への装脱が容易になり、現地施工を容易に行うことができる。
【００２５】
本発明の第３観点に係る冷凍装置の熱源ユニットでは、端子台への電線の取り付けが容易になり、現地施工を容易に行うことができる。
【００２６】
本発明の第４観点に係る冷凍装置の熱源ユニットでは、漏れた冷媒が閉鎖弁配置空間やユニットケーシング内部に留まることによる不具合を防止することができる。
【００２７】
本発明の第５観点に係る冷凍装置の熱源ユニットでは、冷媒や結露水が端子台に掛かることによる不具合を防止することができる。
【００２８】
本発明の第６観点に係る冷凍装置の熱源ユニットでは、仕切板で仕切られた他の空間に配置されている器材の保護を向上させる。
【００２９】
本発明の第７観点に係る冷凍装置の熱源ユニットでは、現地施工及びメンテナンスを行ない易くすることができる。
【００３０】
本発明の第８観点に係る冷凍装置の熱源ユニットでは、配線が容易になる。
【図面の簡単な説明】
【００３１】
【図１】空調室内機の概要を説明するための回路図。
【図２】現地施工時に連絡配管が取り付けられている室外機の外観を示す斜視図。
【図３】室外機の背面図。
【図４】サービス蓋の斜視図。
【図５】サービス蓋の斜視図。
【図６】組み立て中の室外機の一部と仕切板とサービス蓋を示す部分拡大斜視図。
【図７】組み立て中の室外機の一部と仕切板を示す部分拡大斜視図。
【図８】ユニットケーシングの前板と天板と右側板を取り外した室外機の右側面図。
【図９】端子台周辺の室外機の一部を示す部分拡大側面図。
【図１０】端子台を説明するための部分拡大図。
【発明を実施するための形態】
【００３２】
（１）空気調和機の構成
本発明の一実施形態に係る冷凍装置の熱源ユニットとして、空気調和機の室外機を例に挙げて説明する。図１には、本発明の一実施形態に係る空気調和機の回路構成の概要が示されている。この空気調和機１は、冷媒回路２を備えており、冷媒回路２の中の冷媒を循環させることにより、蒸気圧縮式の冷凍サイクルを行う。冷媒回路２は、例えば図１に示されているように、熱源ユニットとしての１台の室外機３と、利用ユニットとしての１台の室内機４とが冷媒配管５ａ，５ｂによって接続された構成を有する。なお、図１に示されている冷媒配管５ａ，５ｂの両端の２本線が、冷媒配管５ａ，５ｂの接続部５ａａ，５ａｂ，５ｂａ，５ｂｂを表している。
【００３３】
さらに詳細に見ると、冷媒回路２は、圧縮機１１と、四路切換弁１２と、室外熱交換器１３と、膨張機構１４と、アキュムレータ１５と、閉鎖弁１６と、室内熱交換器１７とを備えている。閉鎖弁１６には、液側閉鎖弁１６ａとガス側閉鎖弁１６ｂとが含まれる。室内機４には、冷媒配管５ａ，５ｂに接続される室内熱交換器１７が配置されている。また、室外機３には、圧縮機１１と、四路切換弁１２と、室外熱交換器１３と、膨張機構１４と、アキュムレータ１５と、液側閉鎖弁１６ａと、ガス側閉鎖弁１６ｂとが配置されている。
【００３４】
四路切換弁１２は、圧縮機１１の吐出側に接続された第１ポートと、室外熱交換器１３に接続された第２ポートと、アキュムレータ１５を介して圧縮機１１の吸入側に接続された第３ポートと、ガス側閉鎖弁１６ｂ及び冷媒配管５ｂを介して室内熱交換器１７に接続される第４ポートとを有している。また、室外熱交換器１３に膨張機構１４の一端が接続され、膨張機構１４の他端が液側閉鎖弁１６ａ及び冷媒配管５ａを介して室内熱交換器１７に接続される。
【００３５】
また、室外機３には室外機電装品実装部１８が設けられており、室内機４には室内機電装品実装部１９が設けられている。そして、室外機３と室内機４とは電線５ｃによって電気的に接続されている。例えば、室外に電源がある場合には、実線で示されているように、室外に設けられた電源ソケット（図示せず）に室外機３の電源プラグ（図示せず）が差し込まれて、室外機電装品実装部１８が商用の電源９に接続される。また、例えば、室内に電源がある場合には、破線で示されているように、室内に設けられた電源ソケット（図示せず）に室内機４の電源プラグ（図示せず）が差し込まれて、室内機電装品実装部１９が商用の電源９に接続される。上述の冷媒配管５ａ，５ｂと電線５ｃは、一つの連絡配管５にまとめられている。なお、ここでは電源供給のための室外機電装品実装部１８と室内機電装品実装部１９とを接続する電源系統のみについて説明しているが、室外機電装品実装部１８と室内機電装品実装部１９とを接続して情報を伝達するための信号系統が室外機電装品実装部１８と室内機電装品実装部１９の間に設けられてもよく、そのための信号線が連絡配管５の中に含まれてもよい。
【００３６】
冷房運転時には、図１に実線で示されている接続に四路切換弁１２が切り換えられる。このような冷房運転時の回路接続により、圧縮機１１から吐出された冷媒は、四路切換弁１２の第１ポートから第２ポート、室外熱交換器１３、膨張機構１４、液側閉鎖弁１６ａ、室内熱交換器１７、ガス側閉鎖弁１６ｂ、四路切換弁１２の第４ポートから第３ポート、そしてアキュムレータ１５の順に循環し、圧縮機１１の吸入側に戻る。
【００３７】
暖房運転時には、図１に破線で示されている接続に四路切換弁１２が切り換えられる。このような暖房運転時の回路接続により、圧縮機１１から吐出された冷媒は、四路切換弁１２の第１ポートから第４ポート、ガス側閉鎖弁１６ｂ、室内熱交換器１７、液側閉鎖弁１６ａ、膨張機構１４、室外熱交換器１３、四路切換弁１２の第２ポートから第３ポート、そしてアキュムレータ１５の順に循環し、圧縮機１１の吸入側に戻る。
【００３８】
（２）室外機３の構成
（２−１）ユニットケーシング
図２は、現地施工時に連絡配管５が取り付けられている室外機３の外観を示す斜視図である。また、図３は、室外機３の背面図である。
【００３９】
室外機３は、ユニットケーシング２０を備えている。ユニットケーシング２０は、ユニットケーシング２０の前面を形成する前板２１と、天面を形成する天板２２と、右側面を形成する右側板２３と、左側面を形成する左側板２４と、底面を形成する底板２５と、ユニットケーシング２０の背面の吸込口２７を保護のために覆う保護金網２６とを備えている。ユニットケーシング２０の吸込口２７から吸込まれる外気は、ユニットケーシング２０の内部に収納されている室外熱交換器１３を通過して前面の吹出口２８から吹出される。
【００４０】
また、ユニットケーシング２０は、右側板２３に取り付けられるサービス蓋３０を備えている。図４は、サービス蓋３０を後方右斜め上から見た外観を示す斜視図であり、図５は、サービス蓋３０を前方右斜め上から見た外観を示す斜視図である。サービス蓋３０は、右側面部３１と背面部３２からなる。背面部３２は、右側面部３１の上下方向の長さに比べて短くなっている。右側面部３１と背面部３２の上辺は一致しているので、サービス蓋３０は、背面部３２の下方が切り取られたような形をしている。サービス蓋３０がこのような形をしているのは、図３に示されているように、ユニットケーシング２０を、サービス蓋３０が右側板２３に取り付けられたときに背面側の開口２９が形成される構成にするためである。
【００４１】
サービス蓋３０の上辺には、天板２２の内側に差し込まれるリブ３３が形成されている。サービス蓋３０を固定するために、ネジ孔３４がサービス蓋３０のリブ３３に３箇所形成され、その他の部分にも３箇所形成されている。サービス蓋３０が天板２２の内側に差し込まれた状態で、図２に示されている６本のネジで固定される。サービス蓋３０の右側面部３１の中央よりも少し下の部分に指を差し込むための凹部３５が形成されている。
【００４２】
（２−２）閉鎖弁１６とその周辺の構成
上述のサービス蓋３０は、閉鎖弁カバーでもある。図６、図７及び図８を用いて、サービス蓋３０で保護される閉鎖弁１６の周辺の構成を説明する。図６は、サービス蓋と仕切板とを取り付けている状態を示す部分拡大斜視図である。図７は、仕切板を取り付けている状態を示す部分拡大斜視図である。図８は、ユニットケーシング２０の前板２１と天板２２と右側板２３とを取り外した室外機３を右側から見た側面図である。
【００４３】
液側閉鎖弁１６ａがガス側閉鎖弁１６ｂよりも上方に位置して、液側閉鎖弁１６ａとガス側閉鎖弁１６ｂとが鉛直方向に一直線に並べて配置されている。この液側閉鎖弁１６ａには、液冷媒の流れる冷媒配管５ａに接続される液側配管接続口１６ａａが後に向けて設けられている。また、ガス側閉鎖弁１６ｂには、ガス冷媒の流れる冷媒配管５ｂに接続されるガス側配管接続口１６ｂａも後に向けて設けられている。そのため、これら冷媒配管５ａ，５ｂを含む連絡配管５は、室外機３の背面側から接続される。
【００４４】
図１に示されている圧縮機１１、四路切換弁１２、膨張機構１４及びアキュムレータ１５が配置される機械室３ａとユニットケーシング２０の外部空間ＯＳとを分離するためにユニットケーシング２０の内壁７０が設けられている。なお、内壁７０は、複数の板金を組み合わせて形成されている。液側閉鎖弁１６ａの上には仕切板４０が取り付けられる。この仕切板４０が取り付けられた上から、サービス蓋３０が取り付けられる。これら天板２２とサービス蓋３０と仕切板４０と内壁７０とで、液側閉鎖弁１６ａとガス側閉鎖弁１６ｂの周囲のうち、前方と上方と下方と左右方向の５つの方向が囲まれている。天板２２とサービス蓋３０と仕切板４０と内壁７０とで囲まれる空間が、閉鎖弁配置空間ＳＳである。この閉鎖弁配置空間ＳＳの背面側が開口２９になる。
【００４５】
（２−３）仕切板４０
仕切板４０は、閉鎖弁配置空間ＳＳの前方から後方まで延びて、天板２２とサービス蓋３０と内壁７０とで囲まれた空間を２つに分割している。分割された空間のうちの一方が閉鎖弁配置空間ＳＳであり、他の空間が端子台配置空間ＴＳである。この端子台配置空間ＴＳに端子台６０が配置される。仕切板４０は、側面視において、前方が低く、後方が高くなるように折れ曲がっている。このように、後方が高くなることによって、液側閉鎖弁１６ａの液側配管接続口１６ａａ及びガス側閉鎖弁１６ｂのガス側配管接続口１６ｂａの周囲の空間がそれよりも前方の空間に比べて広くなっている。
【００４６】
仕切板４０は、２本のネジ４６によって固定される。これらネジ４６がそれぞれ通る２つのネジ孔４１が設けられている。また、内壁７０には、これらネジ４６が螺合される雌ネジ部７１が形成されている。
【００４７】
また、仕切板４０を固定するために、仕切板４０の前端部には開口４２が形成され、前方左側部には突出部４３が形成されている。内壁７０には、図７に示されているタブ７２が後方に向かって突出するように形成されている。この内壁７０のタブ７２が仕切板４０の開口４２に嵌めこまれて、仕切板４０の前端部がタブ７２によって下から支えられる。また、内壁７０には、図７に示されているノッチ７３が下向きに開いた状態で上下に伸びるように形成されている。この内壁７０のノッチ７３に仕切板４０の突出部４３が下から嵌めこまれる。この突出部４３がノッチ７３に嵌め込まれることによって、仕切板４０の前方部分が上方向に移動しないように、また左右方向に移動しないように固定される。
【００４８】
仕切板４０には、その左辺に切り欠き部４４が形成されている。この切り欠き部４４は、内壁７０との間に、電線５ｃを含むワイヤハーネス５１，５２が通過する隙間を作るためのものである。仕切板４０の周囲には、スポンジ状のシール部材４５が取り付けられる。このシール部材４５によって、閉鎖弁配置空間ＳＳと端子台配置空間ＴＳの分離がより確かなものになる。
【００４９】
（２−４）端子台６０
端子台６０は、閉鎖弁１６よりも上の位置で内壁７０に固定される。端子台６０が固定されるのは、仕切板４０よりも上の端子台配置空間ＴＳである。図９には端子台６０の周辺の構成が拡大して示されており、図１０には端子台６０が拡大して示されている。端子台６０には、電源９に接続するためのワイヤハーネス５１と室内機４に接続するためのワイヤハーネス５２とが接続されている。ワイヤハーネス５２に含まれている４本の電線５ｃは、４本のネジ６１で固定され、端子台６０が有する４つの電源端子６２にそれぞれ電気的に接続されている。ワイヤハーネス５１に含まれる３本の電線５１ａも同様に、３本のネジ６３で固定され、端子台６０が有する３つの電源端子６４にそれぞれ電気的に接続されている。
【００５０】
この端子台６０は、ネジ６５によって内壁７０に固定される。端子台６０から延びるアースライン６６は、ネジ７４によって内壁７０に電気的に接続されている。また、端子台６０から延びる３本の電源ライン６７は、図１に示されている室外機電装品実装部１８に接続されている。この室外機電装品実装部１８は、内壁７０を挟んで端子台６０とは反対側のユニットケーシング２０の内部に配置されている。
【００５１】
ワイヤハーネス５１，５２は、端子台６０から真っ直ぐ下方に向かって延びている。これらワイヤハーネス５１，５２は、ワイヤハーネス保持具８０によって内壁７０に固定される。このワイヤハーネス保持具８０は、仕切板４０よりも下方に配置されている。ワイヤハーネス保持具８０は、３本のネジ８１で内壁７０に固定される。現地施工時にワイヤハーネス５１，５２を端子台６０に取り付けるときには、ネジ８１を外してワイヤハーネス保持具８０にワイヤハーネス５１，５２が取り付けられる。
【００５２】
（３）閉鎖弁１６及び端子台６０の配置位置
図８に示されている高さ寸法Ｈが、ユニットケーシング２０の高さ寸法である。図８に示されている高さ寸法Ｔ１が端子台６０の上端の高さ位置であり、高さ寸法Ｔ２が端子台６０の下端の高さ位置である。また、高さ寸法Ｓ１が閉鎖弁１６の上端の高さ位置であり、高さ寸法Ｓ２が閉鎖弁１６の下端の高さ位置である。
【００５３】
閉鎖弁１６は、ユニットケーシング２０の高さ寸法Ｈの４０％の高さ位置よりも高い位置に配置される。端子台６０を配置するスペースを考慮すると、閉鎖弁１６の配置位置は、ユニットケーシング２０の高さ寸法Ｈの５０％以上９０％以下の範囲内で設定されるのが好ましい。図８に示されている閉鎖弁１６は、高さ寸法Ｈの約６０％（高さ寸法Ｓ２）から約７０％（高さ寸法Ｓ１）の高さ位置に配置されている。
【００５４】
端子台６０は、閉鎖弁１６よりも高い位置に配置される。閉鎖弁１６を配置するスペースを考慮すると、端子台６０の配置位置は、ユニットケーシング２０の高さ寸法Ｈの７０％以上１００％未満の範囲内で設定されるのが好ましい。図８に示されている端子台６０は、高さ寸法Ｈの約８５％（高さ寸法Ｔ２）から約９５％（高さ寸法Ｔ１）の高さ位置に配置されている。
【００５５】
また、現地施工時に、万一液側配管接続口１６ａａ及びガス側配管接続口１６ｂａから冷媒が吹出しても、冷媒が端子台６０に掛からないようにするために、閉鎖弁１６の直上に端子台６０が配置されないように、閉鎖弁１６を後にずらし、端子台６０を前にずらして配置することが好ましい。
【００５６】
（４）特徴
（４−１）
以上説明したように、本実施形態に係る空気調和機１の室外機３（冷凍装置の熱源ユニットの例）は、利用ユニットである室内機４に冷媒配管５ａ，５ｂによって接続されている。室外機３は、閉鎖弁１６がユニットケーシング２０の高さ寸法Ｈの４０％よりも高い位置に配置されている。また、端子台６０が閉鎖弁よりも高い位置に配置されている。その結果、閉鎖弁１６に冷媒配管５ａ，５ｂを接続し易くなって据付時間を短縮できるとともに、端子台６０が閉鎖弁よりも高い位置にあることから冷媒や結露水が冷媒配管５ａ，５ｂや閉鎖弁１６から端子台６０に掛かるのを抑制することができる。
【００５７】
（４−２）
図８に示されている閉鎖弁１６は、ユニットケーシング２０の高さ寸法Ｈの約６０％から約７０％の高さ位置に配置されている。このように、閉鎖弁１６が高さ寸法Ｈの５０％以上９０％以下の高さ位置に配置され、ユニットケーシング２０の高さの半分又はそれよりも上に配置されることにより、ユニットケーシング２０の高さの半分よりも下にある場合よりも閉鎖弁１６に対する冷媒配管５ａ，５ｂの装着と取外しが容易になり、現地施工を容易に行うことができるようになる。
【００５８】
（４−３）
図８に示されている端子台６０は、ユニットケーシング２０の高さ寸法Ｈの約８５％から約９５％の高さ位置に配置されている。このように、端子台６０が高さ寸法Ｈの７０％以上１００％未満の高さ位置に配置されていることから、端子台６０へのワイヤハーネス５２の電線５ｃの取り付けが容易になり、現地施工を容易に行うことができる。
【００５９】
（４−４）
閉鎖弁カバーであるサービス蓋３０を装着した状態では、閉鎖弁配置空間ＳＳとユニットケーシング２０の外側の外部空間ＯＳとをつなぐ開口２９が形成される。その結果、サービス蓋３０で閉鎖弁１６の保護を行うとともに、開口２９を通じて漏れた冷媒の外部へ排出することが可能になる。その結果、漏れた冷媒が閉鎖弁配置空間ＳＳやユニットケーシング２０の内部に留まることによる不具合を防止することができる。ここでは、閉鎖弁配置空間ＳＳの一部を覆うようにユニットケーシングに着脱可能な部材を閉鎖弁カバーとしているので、それ以外の端子台配置空間ＴＳを同時に覆うサービス蓋３０も閉鎖弁カバーである。従って、閉鎖弁カバーは、閉鎖弁配置空間ＳＳの一部を覆うようにユニットケーシングに着脱可能な部材であって、端子台配置空間ＴＳなどの他の空間を同時に覆わないものであってもよい。
【００６０】
（４−５）
閉鎖弁カバーであるサービス蓋３０を装着した状態で、サービス蓋３０と仕切板４０と内壁７０とによって端子台配置空間ＴＳが閉鎖弁配置空間ＳＳ及び外部空間ＯＳから実質的に隔離されるので、冷媒配管５ａ，５ｂや閉鎖弁１６から冷媒や結露水が端子台６０に掛かるのを防ぐことができる。また、閉鎖弁１６のための開口２９も、端子台配置空間ＴＳよりも下に配置されることになるので、雨水などの侵入も防止することができる。上記実施形態のように、シール部材４５が、サービス蓋３０と仕切板４０と内壁７０の境に取り付けられていると、端子台配置空間ＴＳの閉鎖弁配置空間ＳＳ及び外部空間ＯＳからの隔離が十分行えるので、前述の効果が向上する。
【００６１】
（４−６）
閉鎖弁カバーであるサービス蓋３０を装着した状態で、ユニットケーシング２０に着脱可能な仕切板４０によって、閉鎖弁配置空間ＳＳ及びユニットケーシング２０の外側の外部空間ＯＳから実質的に隔離されている他の空間である端子台配置空間ＴＳが形成される。ここでは、端子台配置空間ＴＳが他の空間の例として説明されているが、他の空間は端子台配置空間ＴＳに限られるものではなく、他の用途に用いられる空間であってもよい。このように、仕切板４０とサービス蓋３０と内壁７０で囲われた端子台配置空間ＴＳを形成することで、閉鎖弁配置空間ＳＳに生じた冷媒漏れや水から端子台配置空間ＴＳに存在する器材である端子台６０を仕切板４０によって保護することができる。
【００６２】
（４−７）
仕切板４０が電線５ｃを含むワイヤハーネス５２の通路となる切り欠き部４４を有するので、仕切板４０を取り外した状態で端子台６０に電線５ｃを固定してから固定された電線５ｃを切り欠き部４４に通すことができるようになり、端子台６０への配線が容易になる。また、仕切板４０を取り外すことで、ワイヤハーネス保持具８０を取り外したり取り付けたりする作業が容易になり、またワイヤハーネス保持具８０に対するワイヤハーネス５１，５２の取り付け作業と取外し作業が容易になる。
【００６３】
（５）変形例
（５−１）変形例１Ａ
上記実施形態では、室外に電源９がある場合を中心に説明したが、電源９が室内にあって室内機４を経由して室外機３への電源供給が行なわれる場合にも、連絡配管５によって室外機３と室内機４の間に冷媒配管５ａ，５ｂと電線５ｃが連絡されるのは同じであり、上記実施形態と同様に本発明を適用できる。
【００６４】
（５−２）変形例１Ｂ
上記実施形態では、閉鎖弁１６が一組の液側閉鎖弁１６ａとガス側閉鎖弁１６ｂを含み、１台の室外機３に１台の室内機４が接続される場合について説明した。しかし、閉鎖弁１６が複数組の液側閉鎖弁とガス側閉鎖弁を含み、１台の室外機に複数台の室内機が接続される場合にも本発明を適用することができる。
【００６５】
（５−３）変形例１Ｃ
上記実施形態では、冷凍装置の熱源ユニットとして、空気調和機１の室外機３を例に挙げ、利用ユニットとして室内機４を例に挙げて説明したが、冷凍装置の熱源ユニットは、これだけに限られるものではなく、熱源ユニットと利用ユニットとが冷媒配管及び電線で接続される冷凍装置に適用することができる。例えば、ヒートポンプ装置を熱源ユニットとする給湯装置が、本願発明の冷凍装置の熱源ユニットに含まれる。
【符号の説明】
【００６６】
１    空気調和機（冷凍装置の例）
２    冷凍回路
３    室外機（熱源ユニットの例）
４    室内機（利用ユニットの例）
５    連絡配管
５ａ，５ｂ    冷媒配管
５ｃ    電線
９    電源
１６    閉鎖弁
１６ａ    液側閉鎖弁
１６ｂ    ガス側閉鎖弁
２０    ユニットケーシング
３０    サービス蓋（閉鎖弁カバーの例）
４０    仕切板
４４    切り欠き部
【先行技術文献】
【特許文献】
【００６７】
【特許文献１】特開平１０−２９２９３４号公報
【図１】
2016161203.tif 000003
【図２】
2016161203.tif 000004
【図３】
2016161203.tif 000005
【図４】
2016161203.tif 000006
【図５】
2016161203.tif 000007
【図６】
2016161203.tif 000008
【図７】
2016161203.tif 000009
【図８】
2016161203.tif 000010
【図９】
2016161203.tif 000011
【図１０】
2016161203.tif 000012